(57)【要約】【課題】複数の電子機器端末を用いて、専用の装置を利用しないで手軽に立体音響効果を得ることができる立体音響出力システム、立体音響出力方法及び立体音響出力用プログラムを提供する。【解決手段】リスナーＡが電子機器端末としての携帯電話１，２，３，４を周囲の所定箇所に配置し、各携帯電話に位置情報等を入力しておく。音楽再生時に、特定の携帯電話からの指令で作動し、それぞれに対応した端末用音声情報を生成し、携帯電話１，２，３，４が対応した端末用音声情報を同期して再生出力する。【選択図】図１
2007124380.tif 000002
【特許請求の範囲】
【請求項１】
互いに通信する通信手段とスピーカとを備えた複数の電子機器端末を有し、この各電子機器端末は、それぞれの配置位置を示す位置情報を記憶した位置情報記憶部と、前記位置情報に対応する端末用音声情報を入力する音声情報入力手段と、前記端末用音声情報を再生しスピーカに出力する音声情報出力手段とを備えていることを特徴とする立体音響出力システム。
【請求項２】
前記請求項１に記載の立体音響出力システムにおいて、
前記各電子機器端末のうち少なくとも１つは、各電子機器端末から送り込まれる前記各位置情報を登録する位置情報登録手段と、ユーザが再生しようとする音声コンテンツを入力する音声コンテンツ入力手段と、前記位置情報登録手段に登録された各位置情報に対応する端末用音声情報を前記音声コンテンツを基に生成する端末用音声情報生成手段と、生成した各端末用音声情報を対応する各電子機器端末に送り込む端末用音声情報送出手段とを備えていることを特徴とする立体音響出力システム。
【請求項３】
前記請求項２に記載の立体音響出力システムにおいて、
前記音声コンテンツ入力手段に前記音声コンテンツを記憶する音声コンテンツ記憶部を併設したことを特徴とする立体音響出力システム。
【請求項４】
前記請求項１に記載の立体音響出力システムにおいて、
前記各電子機器端末が、ユーザが再生しようとする音声コンテンツを入力する音声コンテンツ入力手段と、前記音声情報入力手段に代えて、前記音声コンテンツから前記位置情報に対応する端末用音声情報を生成し前記音声情報出力手段に送り込む端末用音声情報生成手段とを備えていることを特徴とする立体音響出力システム。
【請求項５】
前記請求項４に記載の立体音響出力システムにおいて、
前記音声コンテンツ入力手段に前記音声コンテンツを記憶する音声コンテンツ記憶部を併設したことを特徴とする立体音響出力システム。
【請求項６】
前記請求項１乃至５のいずれか一項に記載の立体音響出力システムにおいて、
前記各音声情報入力手段に前記端末用音声情報を格納する端末用音声情報格納部を併設することを特徴とする立体音響出力システム。
【請求項７】
前記請求項１乃至６のいずれか一項に記載の立体音響出力システムにおいて、
前記各電子機器端末は、前記位置情報記憶部に記憶した位置情報を新たな位置情報に書き換える位置情報書換手段を備えていることを特徴とする立体音響出力システム。
【請求項８】
前記請求項１乃至７のいずれか一項に記載の立体音響出力システムにおいて、
前記各電子機器端末のうち少なくとも１つは、前記各音声情報出力手段に前記各端末用音声情報の再生開始を指示する再生開始指示情報を各電子機器端末に送信する再生指示手段を備えていることを特徴とする立体音響出力システム。
【請求項９】
前記請求項８に記載の立体音響出力システムにおいて、
前記各電子機器端末はタイマー機能を備え、前記再生指示手段が、前記タイマー機能に基づいて再生時刻を指定する再生開始指示情報を各電子機器端末に送信すると共に、前記各音声情報出力手段が、指定された時刻に前記各端末用音声情報の再生を開始するようにしたことを特徴とする音響制御出力システム。
【請求項１０】
前記請求項９に記載の立体音響出力システムにおいて、
前記各電子機器端末は、前記各タイマー機能が示す時刻のずれを調整するタイマー調整手段を備えていることを特徴とする立体音響出力システム。
【請求項１１】
前記請求項１乃至１０のいずれか一項に記載の立体音響出力システムにおいて、
前記電子機器端末が、携帯電話であることを特徴とする立体音響出力システム。
【請求項１２】
複数ある電子機器端末の配置位置を示す位置情報を特定する位置情報特定工程と、
ユーザが再生しようとする音声コンテンツを基に前記各位置情報に対応する端末用音声情報を生成する端末用音声情報生成工程と、
前記各電子機器端末が対応する前記各端末用音声情報を再生し出力する音声情報出力工程とを設けていることを特徴とする立体音響出力方法。
【請求項１３】
前記請求項１２に記載の立体音響出力方法において、
前記端末用音声情報生成工程で生成された各端末用音声情報を対応する各電子機器端末に格納する端末用音声情報格納工程を設けたことを特徴とする立体音響出力方法。
【請求項１４】
前記請求項１２，１３に記載の立体音響出力方法において、
前記電子機器端末に前記音声コンテンツを入力する音声コンテンツ入力工程を、前記端末用音声情報生成工程の前に設けたことを特徴とする立体音響出力方法。
【請求項１５】
前記請求項１２，１３又は１４に記載の立体音響出力方法において、
各電子機器端末が前記各端末用音声情報を同時に再生出力するよう制御する再生制御工程を、前記音声情報出力工程の前に設けたことを特徴とする立体音響出力方法。
【請求項１６】
前記請求項１５に記載の立体音響出力方法において、
前記再生制御工程が、再生時刻を指定して全ての電子機器端末が前記各端末用音声情報を再生出力するよう制御する工程であるとしたことを特徴とする立体音響出力方法。
【請求項１７】
前記請求項１２乃至１６のいずれか一項に記載の立体音響出力方法において、
前記各電子機器端末の各タイマー機能が示す時刻のずれを調節するタイマー調整工程を、前記再生制御工程の前に設けたことを特徴とする立体音響出力方法。
【請求項１８】
複数の各電子機器端末にその配置位置を示す位置情報が入力された場合に、当該各電子機器端末が予め装備したコンピュータに、当該位置情報を記憶する位置情報記憶処理と、記憶された前記位置情報に対応する端末用音声情報を入力する音声情報入力処理と、入力された前記端末用音声情報を再生し出力する音声情報出力処理とを実行させることを特徴とする立体音響出力用プログラム。
【請求項１９】
前記請求項１８に記載の立体音響出力用プログラムにおいて、
前記複数の各電子機器端末のうちの一つが、当該電子機器端末以外の各電子機器端末から送られてくる前記各位置情報を収集する位置情報収集処理と、ユーザが再生しようとする音声コンテンツが入力された場合にこの入力された音声コンテンツを基に前記各位置情報に対応する端末用音声情報を個別に生成する端末用音声情報生成処理と、生成された前記各端末用音声情報を対応する電子機器端末に送り込む端末用音声情報送出処理とを、前記コンピュータに実行させることを特徴とする立体音響出力用プログラム。
【請求項２０】
前記請求項１８に記載の立体音響出力用プログラムにおいて、
ユーザが再生しようとする音声コンテンツが入力された場合にこの入力された音声コンテンツを基に前記位置情報記憶処理で記憶された位置情報に対応する端末用音声情報を生成する端末用音声情報生成処理を、前記音声情報入力処理に代えて前記コンピュータに実行させることを特徴とする立体音響出力用プログラム。
【請求項２１】
前記請求項１９，２０に記載の立体音響出力用プログラムにおいて、
前記音声コンテンツが入力された場合に当該音声コンテンツを記憶する音声コンテンツ記憶処理を前記コンピュータに実行させることを特徴とする立体音響出力用プログラム。
【請求項２２】
前記請求項１８乃至２１のいずれか一項に記載の立体音響出力用プログラムにおいて、
前記音声情報出力処理において再生出力するための前記端末用音声情報を格納する端末用音声情報格納処理を前記コンピュータに実行させることを特徴とする立体音響出力用プログラム。
【請求項２３】
前記請求項１８乃至２２のいずれか一項に記載の立体音響出力用プログラムにおいて、
前記位置情報記憶処理で記憶された位置情報をこれに対応する新たな位置情報が入力された場合にその新たな位置情報に書き換える位置情報書換処理を前記コンピュータに実行させることを特徴とする立体音響出力用プログラム。
【請求項２４】
前記請求項１８乃至２３のいずれか一項に記載の立体音響出力用プログラムにおいて、
複数の各電子機器端末のうちの予め特定された電子機器端末から出力される再生開始指示情報に基づいて前記音声情報出力処理を開始させる再生開始制御処理を前記コンピュータに実行させることを特徴とする立体音響出力用プログラム。
【発明の詳細な説明】
【技術分野】
【０００１】
本発明は、立体音響出力システム、立体音響出力方法及び立体音響出力用プログラムに係り、特に、携帯電話等の電子機器端末を使用した立体音響出力システム、立体音響出力方法及び立体音響出力用プログラムに関する。
【背景技術】
【０００２】
近年、携帯電話は、多機能化し音楽や動画の再生が可能となっている。例えば、公衆のネットワーク通信を介して音楽データをダウンロードし再生する方法や電波を受信して音楽放送やラジオ放送を視聴する方法等である。このような、携帯電話の多機能化と高機能化により、携帯電話を用いて本格的な音楽鑑賞が可能となった。
【０００３】
しかし、携帯電話を用いてサラウンド再生（立体音響）を行おうとすると、携帯電話本体の大きさが限られるため実装可能なスピーカ数が物理的に制約を受けスピーカ間の距離を十分に確保できない。このため、期待したサラウンド効果を得ることが難しかった。また、少ないスピーカ数で立体音響効果を得るためのヴァーチャル再生技術も存在するが、周辺の環境によっては十分な立体音響効果を得られない場合があった。
【０００４】
一方近年にあっては、臨場感のあるサラウンド効果を得るために複数のスピーカをリスナー（聞き手）の周りを取り巻くように配置したシステムが多く用いられている。例えば、ジェット機が迫ってくるシーンを再現する音響を提供する場合、前方から接近してくるジェット機の爆音がリスナーの前方に配置されたスピーカから発音され、ジェット機が後方に遠ざかっていく音がリスナーの後方に配置されたスピーカから徐々に小さくなるように発音される。このようなシステムによって、リスナーは実際にジェット機が迫ってくるシーンを体験しているかのように音響を聴くことができる。
【０００５】
しかし、上記のようなシステムでは複数の専用スピーカが必要でありコストがかかる。このため、専用のスピーカを使用せずに、ラジオやテレビなどの音声を出力できる電子機器を使用するシステムとして、各電子機器からテスト信号音を出力させ、リスナーの位置に設けた集音器が各テスト信号音を集音し、その集音されたテスト信号音に基づいて各電子機器の出力バランスが立体音響効果を得るように調整される音響制御システムが既に知られている（特許文献１参照）。
【０００６】
【特許文献１】特開２００４−２６０２８１号公報
【発明の開示】
【発明が解決しようとする課題】
【０００７】
しかしながら、上記のような音響制御システムでは、テスト信号音を出力する装置、集音器の設置、集音したテスト信号音を解析する装置等が必要となる。また、各電子機器は、単独で音声出力する場合と音響制御システムの一部として動作する場合とで、スピーカの駆動方法を切り替えるため、切り替える装置を備えていなくてはならない。このように、幾つかの専用の装置が必要であり、その分のコストがかかるという不都合があった。
【０００８】
そこで、本発明は、上記の従来技術における不都合を改善し、立体音響を実施するためだけに使用する専用の装置が不要で手軽に立体音響を実現することができる立体音響出力システム、立体音響出力方法及び立体音響出力用プログラムを提供することを、その目的とする。
【課題を解決するための手段】
【０００９】
上記目的を達成するため、本発明の立体音響出力システムは、互いに通信する通信手段とスピーカとを備えた複数の電子機器端末を有し、この各電子機器端末が、それぞれの位置を示す位置情報を記憶した位置情報記憶部と、この位置情報に対応する端末用音声情報を入力する音声情報入力手段と、この端末用音声情報を再生しスピーカに出力する音声情報出力手段とを備えていることを特徴とする構成を有する（請求項１乃至１１）。
【００１０】
このため、本発明は、個々の位置情報を記憶している複数の電子機器端末が、その位置情報に対応する端末用音声情報を再生しそれぞれのスピーカから出力する。つまり、リスナーは、複数の電子機器端末を用意し自分の周りに配置すれば、立体音響を得ることができることになる。
【００１１】
更に、各電子機器端末のうち少なくとも１つは、上記の構成に加えて、各電子機器端末から送り込まれる各位置情報を登録する位置情報登録手段と、ユーザが再生しようとする音声コンテンツを入力する音声コンテンツ入力手段と、位置情報登録手段に登録された各位置情報に対応する端末用音声情報を音声コンテンツを基に生成する端末用音声情報生成手段と、生成した各端末用音声情報を対応する各電子機器端末に送り込む端末用音声情報送出手段とを備えてもよい（請求項２）。そして、この音声コンテンツ入力手段に音声コンテンツを記憶する音声コンテンツ記憶部を併設してもよい（請求項３）。
【００１２】
これにより、本発明は、少なくとも１つの電子機器端末が、他の全ての電子機器端末の位置情報を基に音声コンテンツからそれぞれの端末用音声情報を生成し、それら端末用音声情報をそれぞれの電子機器端末に送信する。このため、各電子機器端末は、立体音響再生を実現するために再生するべき端末用音声情報を得ることができる。つまり、ネットワーク上の配信サーバからダウンロードされた音声コンテンツや記憶媒体に記憶された音声コンテンツ、ストリーミング配信やラジオ放送などリアルタイムに再生をする音声コンテンツ等から端末用音声情報が生成される。そして、対応する端末用音声情報を受け取った各電子機器端末がその端末用音声情報を再生出力することで、立体音響を得ることができる。また、少なくとも１つの電子機器端末が、音声コンテンツを必要に応じて記憶することで、いつでも端末音声情報を生成できる。
【００１３】
また、これとは別に、本発明の立体音響出力システムは、各電子機器端末が、ユーザが再生しようとする音声コンテンツを入力する音声コンテンツ入力手段と、音声情報入力手段に代えて、音声コンテンツから位置情報に対応する端末用音声情報を生成し音声情報出力手段に送り込む端末用音声情報生成手段とを備えてもよい（請求項４）。そして、この音声コンテンツ入力手段に音声コンテンツを記憶する音声コンテンツ記憶部を併設してもよい（請求項５）。
【００１４】
これにより、本発明は、各電子機器端末それぞれが、個々の位置情報を基に音声コンテンツから端末用音声情報を生成する。このため、各電子機器端末は、立体音響再生を実現するために再生するべき端末用音声情報を得ることができる。つまり、ネットワーク上の配信サーバからダウンロードされた音声情報や記憶媒体に記憶された音声情報、ストリーミング配信やラジオ放送などリアルタイムに再生をする音声情報等から端末用音声情報が生成される。そして、各電子機器端末が個々の端末用音声情報を再生出力することで、立体音響再生を実施できる。また、各電子機器端末が、音声コンテンツを必要に応じて記憶することで、いつでも端末音声情報を生成できる。
【００１５】
更に、各音声情報入力手段に端末用音声情報を格納する端末用音声情報格納部を併設してもよい（請求項６）。これにより、本発明は、各電子機器端末がいつでも端末用音声情報を再生できる。
【００１６】
また更に、各電子機器端末は、記憶された位置情報を新たな位置情報に書き換える位置情報書換手段を備えてもよい（請求項７）。これにより、本発明は、電子機器端末の配置位置をリスナーの任意で決定することができる
【００１７】
更に、上記の構成に加えて、各電子機器端末のうち少なくとも１つは、各音声情報出力手段に各端末用音声情報の再生開始を指示する再生開始指示情報を各電子機器端末に送信する再生指示手段を備えてもよい（請求項８）。これにより、本発明は、複数の電子機器端末による端末用音声情報の出力を同期させることが可能であり、立体音響再生を実施できる。
【００１８】
更に、各電子機器端末はタイマー機能を備え、上述の再生指示手段が、タイマー機能に基づいて再生時刻を指定する再生開始指示情報を各電子機器端末に送信すると共に、各音声情報出力手段が、指定された時刻に各端末用音声情報の再生を開始するようにしてもよい（請求項９）。これにより、本発明は、指定した時刻に立体音響再生を実施することができる。
【００１９】
更に、上記の構成に加えて、各電子機器端末は、各タイマー機能が示す時刻のずれを調整するタイマー調整手段を備えてもよい（請求項１０）。これにより、本発明は、各タイマー機能の時刻のずれを無くして同期させれば、指定された時刻に各端末用音声情報を同時に再生することができる。
【００２０】
更に、上述している各電子機器端末として携帯電話を使用してもよい（請求項１１）。通常の携帯電話は、通信機能や音楽再生機能，データ保存機能を既に実装しているので、本発明を容易に実施することができる。
【００２１】
次に、本発明の立体音響出力方法は、複数ある電子機器端末の配置位置を示す位置情報を特定する位置情報特定工程と、ユーザが再生しようとする音声コンテンツを基に各位置情報に対応する端末用音声情報を生成する端末用音声情報生成工程と、各電子機器端末が対応する各端末用音声情報を再生し出力する音声情報出力工程とを設けるようにした（請求項１２乃至１７）。
【００２２】
このような立体音響出力方法は、電子機器端末の位置を示す位置情報が特定され、それら各位置情報を基に端末用音声情報が生成され、各端末用音声情報が対応する電子機器端末により再生出力される。つまり、リスナーは、複数の電子機器端末を用意し、自分の周りに配置することで、立体音響を得ることができる。
【００２３】
更に、上記の各工程に加えて、各端末用音声情報を対応する各電子機器端末に格納する音声情報格納工程を設けてもよい（請求項１３）。これにより、本発明は、各電子機器端末が立体音響再生を実現するために再生するべき端末用音声情報を保持することになる。つまり、各電子機器端末がいつでも端末用音声情報を再生できる。
【００２４】
更に、電子機器端末に音声コンテンツを入力する音声コンテンツ入力工程を、端末用音声情報生成工程の前に設けてもよい（請求項１４）。これにより、各電子機器端末がネットワーク上の配信サーバからダウンロードした音声コンテンツや記憶媒体に記憶された音声コンテンツ、ストリーミング配信やラジオ放送などリアルタイムに再生をする音声コンテンツ等を入力することになる。
【００２５】
更に、上記の各工程に加えて、電子機器端末が各端末用音声情報を同時に再生出力するよう制御する再生制御工程を、音声情報出力工程の前に設けてもよい（請求項１５）。これにより、本発明は、複数の電子機器端末による端末用音声情報の出力を同期させることが可能であり、立体音響再生を実施できる。
【００２６】
更に、上述した再生制御工程が、再生時刻を指定して全ての電子機器端末が各端末用音声情報を再生出力するよう制御する工程としてもよい（請求項１６）。これにより、本発明は、指定した時刻に立体音響再生を実施できる。
【００２７】
更に、各電子機器端末のタイマー機能が示す時刻のずれを調節するタイマー調整工程を再生制御工程の前に設けてもよい（請求項１７）。これにより、本発明は、各タイマー機能の時刻のずれを無くして同期させれば、指定された時刻に各端末用音声情報を同時に再生することができる。
【００２８】
次に、本発明の立体音響出力用プログラムは、複数ある電子機器端末のうちの一電子機器端末にその配置位置を示す位置情報が入力された場合に、この入力された位置情報を記憶する位置情報記憶処理と、記憶された位置情報に対応する端末用音声情報を入力する音声情報入力処理と、入力された端末用音声情報を再生し出力する音声情報出力処理とを、当該各電子機器端末が予め装備したコンピュータに実行させるようにした（請求項１８乃至２４）。
【００２９】
このような立体音響出力用プログラムによって、各電子機器端末が配置位置を示す位置情報を記憶し、その位置情報に基づいた端末用音声情報を再生出力する。このため、リスナーは、複数の電子機器端末を用意し、自分の周りに配置することで、立体音響を得ることができる。
【００３０】
ここで、上記の各処理に加えて、前記複数の各電子機器端末のうちの一つが、当該電子機器端末以外の各電子機器端末からの各位置情報を収集する位置情報収集処理と、ユーザが再生しようとする音声コンテンツが入力された場合に、この音声コンテンツを基に収集された各位置情報に対応する端末用音声情報を個別に生成する端末用音声情報生成処理と、生成された各端末用音声情報を対応する電子機器端末に送り込む端末用音声情報送出処理とをコンピュータに実行させてもよい（請求項１９）。
【００３１】
これにより、複数の各電子機器端末のうちの一つが、各電子機器端末からの各位置情報を収集し、各電子機器端末の位置情報に基づいて音声コンテンツからそれぞれの端末用音声情報を生成する。そして、それら端末用音声情報をそれぞれの電子機器端末に送出する。つまり、各電子機器端末は、配信サーバからダウンロードされた音声コンテンツや記憶媒体に記憶された音声コンテンツ、ストリーミング配信やラジオ放送などリアルタイムに再生をする音声コンテンツ等から生成された端末用音声情報を得ることができる。また、このように複数あるうちの一つの電子機器端末が一括して生成処理を行うことにより、他の電子機器端末での処理負担を軽減することができる。
【００３２】
また、これとは別に、本発明の立体音響出力用プログラムは、ユーザが再生しようとする音声コンテンツが入力された場合に、この音声コンテンツを基に位置情報記憶処理で記憶された位置情報に対応する端末用音声情報を生成する端末用音声情報生成処理を、音声情報入力処理に代えてコンピュータに実行させてもよい（請求項２０）。
【００３３】
これにより、各電子機器端末が、個々の位置情報に基づいて音声コンテンツから端末用音声情報を生成する。つまり、各電子機器端末は、配信サーバからダウンロードした音声情報や記憶媒体に記憶された音声情報、ストリーミング配信やラジオ放送などリアルタイムに再生をする音声情報等から生成された端末用音声情報を得ることができる。また、このように各電子機器端末が個々に生成処理を行うため、処理が分散されることになる。
【００３４】
更に、上記それぞれの処理に加えて、入力された音声コンテンツを記憶する音声コンテンツ記憶処理をコンピュータに実行させてもよい（請求項２１）。これにより、本発明は、必要に応じて音声コンテンツを記憶し、いつでも迅速に端末用音声情報を生成することができる。
【００３５】
更に、音声情報出力処理において再生出力するための端末用音声情報を格納する端末用音声情報格納処理をコンピュータに実行させてもよい（請求項２２）。これにより、本発明は、いつでも音声を再生し出力することができる。
【００３６】
更に、位置情報記憶処理で記憶された位置情報をこれに対応する新たな位置情報が入力された場合にその新たな位置情報に書き換える位置情報書換処理をコンピュータに実行させてもよい（請求項２３）。これにより、本発明は、電子機器端末の配置位置が固定されず、位置情報の更新が可能となる。
【００３７】
更に、特定の電子機器端末から出力された再生開始指示情報に基づいて前記音声情報出力処理を開始させる再生開始制御処理をコンピュータに実行させてもよい（請求項２４）。これにより、本発明は、複数の電子機器端末による端末用音声情報の出力を同期させることが可能である。
【発明の効果】
【００３８】
以上のように、本発明によれば、リスナーが複数の電子機器端末を配置し、各電子機器端末に位置情報等の位置情報を記憶させることで、全ての電子機器端末は、それぞれの位置情報に対応した端末用音声情報を同期して再生出力する。従って、普段はパーソナルコンピュータや携帯電話等として使用している電子機器端末を、必要なときに立体音響システムとして使用し立体音響再生を実施できる。
【発明を実施するための最良の形態】
【００３９】
以下、本発明の実施形態を、図面を参照しながら説明する。
【００４０】
図１は、本発明に係る一実施形態の全体の配置を示す図である。
【００４１】
図１に示す通り、本実施形態の音響出力システムは、電子機器端末として携帯電話を用いており、これら携帯電話１，２，３，４は、リスナー（音声情報の聞き手）Ａの右前方，左前方，右後方，左後方に配置されている。このとき、携帯電話１，２，３，４は、リスナーＡを中心とした円周上にあって、右前方，左前方の携帯電話１，２を結ぶ直線と右後方，左後方の携帯電話３，４を結ぶ直線が平行になるように配置されるとよい。そして、リスナーＡが任意の音声データを再生する際に、音声データにおける「右前方位置」，「左前方位置」，「右後方位置」，「左後方位置」の再生チャンネルそれぞれを、携帯電話１，２，３，４に鳴動させることで４チャンネルの立体音響再生を実現することができる。
【００４２】
図２は、図１に示す一実施形態における携帯電話の構成を示すブロック図である。
【００４３】
本実施形態は、４台の携帯電話のうちの携帯電話１にだけ、リスナーＡが再生しようとする音声データ（音声コンテンツ）が記憶されている。その音声データは立体音響再生を実現するために、複数チャンネルの音声データから構成されている。携帯電話１は、リスナーＡが再生しようとする音声データ（以下音声コンテンツ）が記憶された携帯電話であり、携帯電話２，３，４は、その音声コンテンツを記憶していない携帯電話である。そして、この携帯電話２，３，４は互いに同じ内部構成を有するため、以下、携帯電話１，２について、その具体的構成を記述することとする。
【００４４】
まず、一般的な携帯電話が実装しているのと同様に、携帯電話１，２には、スピーカ１０，２０と送受信部１１，２１と操作部１２，２２とタイマー機能１Ａ，２Ａとデータ入力手段１９ａ，２９ａ及びデータ記憶部１９ｂ，２９ｂとが備えられている。
【００４５】
スピーカ１０，２０は、音声を出力するスピーカであり、送受信部１１，２１は、携帯電話網を利用して互いに通信し合う通信手段として機能し、携帯電話１，２，３，４間における情報の送受信を可能としている。ここで、本実施形態では、携帯電話１，２，３，４が室内で使用されるため、この送受信部１１，２１として無線ＬＡＮやＢｌｕｅＴｏｏｔｈ等の近距離向けの通信技術を利用してもよい。この場合は、より高速な通信が可能となる。そして、操作部１２，２２は、テンキーなどのユーザが操作する各種キーである。タイマー機能１Ａ，２Ａは、時刻を示す時計機能である。データ入力手段１９ａ，２９ａは、各種の音声データを入力する。例えば、他の携帯電話から送信された音声データの受信、ネットワーク上の配信サーバからのダウンロード、ストリーミング配信やラジオ放送などの受信、記憶媒体からの読み出し等による音声データの入力がある。データ記憶部１９ｂ，２９ｂは、データ入力手段１９ａ，２９ａで取得した音声データを必要に応じて記憶するメモリである。
【００４６】
ここで、データ入力手段１９ａは、本発明に係る音響出力システムの構成を成す各電子機器端末のうち少なくとも１つに装備された音声コンテンツ入力手段として機能し、データ記憶部１９ｂは、本発明に係る構成を成す各電子機器端末のうち少なくとも１つに装備された音声コンテンツ記憶部として機能する。また、データ入力手段１９ａ，２９ａは、本発明に係る構成を成す音声情報入力手段として機能し、データ記憶部１９ｂ，２９ｂが、本発明に係る構成を成す端末用音声情報格納部として機能する。
【００４７】
また、携帯電話１，２には、端末情報入力手段１３ａ，２３ａ及び端末情報記憶部１３ｂ，２３ｂと音声再生手段１６，２６とタイマー調整手段１７，２７とが備えられている。そして、携帯電話１には、端末情報登録手段１４と音声データ解析部１５と再生指示手段１８とが備えられている。
【００４８】
前述の端末情報入力手段１３ａ，２３ａは、リスナーＡ等による操作部１２，２２からの入力に従って携帯電話それぞれの位置情報や再生可能な音楽データのフォーマット情報、スピーカ性能等の端末情報を受け付ける。そして、端末情報記憶部１３ｂ，２３ｂは、端末情報入力手段１３ａ，２３ａで受け付けた端末情報を記憶する。この端末情報に含まれる位置情報とは、リスナーＡを基準にした携帯電話それぞれの配置位置を表すものである。本実施形態では、各携帯電話が図１のように配置されているため、「右前方位置」，「左前方位置」，「右後方位置」，「左後方位置」がそれぞれ携帯電話１，２，３，４の位置情報となる。また、この位置情報は、操作部１２，２２を介したリスナーＡ等の入力により更新することができる。例えば、リスナーＡの右前方に配置する携帯電話には、リスナーＡが「右前方位置」という情報を入力すると、その「右前方位置」がその携帯電話の位置情報として記憶される。これにより、携帯電話それぞれの位置情報は、リスナーＡの任意によって決定されることとなる。
【００４９】
前述の音声再生手段１６，２６は、音声データを再生しスピーカから出力する。タイマー調整手段１７，２７は、携帯電話１，２それぞれのタイマー機能１Ａ，２Ａをどちらか一方の時刻に基づいて同期するためのものである。例えば、携帯電話１のタイマー機能１Ａを基準とした場合は、タイマー機能１Ａの時刻情報が送受信部１１，２１を介して携帯電話２に提供され、その時刻情報を受け取った携帯電話２では、受け取った時刻情報がタイマー調整手段２７によってタイマー機能２Ａに合わせこまれる。
【００５０】
前述した携帯電話１の端末情報登録手段１４は、各携帯電話２，３，４から送られてくるそれぞれの端末情報を全て登録する。音声データ解析部１５は、端末情報記憶部１３ｂに記憶されている携帯電話１の端末情報と端末情報登録手段１４が登録した携帯電話２，３，４それぞれの端末情報を用いて、音声コンテンツを実現するためには携帯電話１，２，３，４でどのチャンネルの音声データを再生すべきかを決定し、これら再生すべき音声データ（以下端末用音声情報）を音声コンテンツから生成する。この音声コンテンツには、ネットワーク上の配信サーバからダウンロードされたコンテンツや記憶媒体から読み出されたコンテンツ、ストリーミング配信やラジオ放送などリアルタイムに発信されているものを受信したコンテンツ等がある。
【００５１】
前述の再生指示手段１８は、操作部１２を用いたリスナーＡ等による入力又は時刻を指定した自動制御等による音声再生開始を示す信号を受けて、音声データ解析部１５へ端末用音声情報の生成を指示する機能と、携帯電話２，３，４それぞれへの端末用音声情報の送信を指示する機能と、音声再生手段１６，２６へそれぞれの端末用音声情報の再生を指示する機能とを備えている。
【００５２】
ここで、前述の端末情報入力手段１３ａ，２３ａが新たに端末情報を受け付けた場合には、端末情報記憶部１３ｂ，２３ｂに記憶されている端末情報は消去され、端末情報入力手段１３ａ，２３ａが受け付けた新たな端末情報に更新される。このときの端末情報を更新する機能が、本発明に係る構成を成す位置情報書換手段として機能する。
【００５３】
また、端末情報記憶部１３ｂ，２３ｂは、本発明に係る構成を成す位置情報記憶部として機能し、音声再生手段１６，２６は、本発明に係る構成を成す音声情報出力手段として機能する。
【００５４】
また、携帯電話１の端末情報登録手段１４は、本発明に係る構成を成す各電子機器端末のうち少なくとも１つに装備された位置情報登録手段として機能し、音声データ解析部１５は、前述の各電子機器端末のうち少なくとも１つに装備された端末用音声情報生成手段として機能する。そして、再生指示手段１８における携帯電話２，３，４それぞれへ端末用音声情報の送信を指示する機能にしたがって端末用音声情報を送信する送受信部１１が、本発明に係る構成を成す端末用音声情報送出手段として機能する。
【００５５】
図３乃至図５は、図１に示す実施形態全体の動作を示すシーケンス図である。ここで、以下、本発明に係る立体音響出力方法及び立体音響出力用プログラムについても、この動作説明と同時に説明する。
【００５６】
図３は、図１に示す実施形態における全体の動作を示すシーケンス図である。
ここで、各携帯電話では、端末情報記憶部１３ｂ，２３ｂに個々の端末情報が予め記憶されている（位置情報特定工程，位置情報記憶処理）。そして、携帯電話１では、ネットワーク上に設置された配信サーバからのダウンロード等により音声コンテンツが入力され（音声コンテンツ入力工程）、その音声コンテンツがデータ記憶部１９ｂに記憶されている（音声コンテンツ記憶処理）。
【００５７】
まず、ユーザが操作部１２を操作して再生開始の信号を入力すると、その再生開始の信号が送受信部１１を介して携帯電話２，３，４へ送信される。再生開始の信号を受信した携帯電話２，３，４では、それぞれの端末情報が携帯電話１へ送信される。送信された各端末情報は、携帯電話１の送受信部１１に受信されて端末情報登録手段１４に登録される（図３：ステップＳ２０１，位置情報収集処理）。携帯電話１では、各端末情報を基に携帯電話１，２，３，４で再生すべき端末用音声情報が音声データ解析部１５によりデータ記憶部１９ｂに記憶された音声コンテンツから作成される（図３：ステップＳ１０１，端末用音声情報生成工程，端末用音声情報生成処理）。
【００５８】
作成された端末用音声情報のうち携帯電話２，３，４で再生すべき端末用音声情報が、送受信部１１を介して携帯電話２，３，４へ送信される（図３：ステップＳ１０２，端末用音声情報送出処理）。各携帯電話では、それぞれで再生すべき端末用音声情報が入力され（音声情報入力処理）、データ記憶部１９ｂ，２９ｂに保存される（図３：ステップＳ１０３，ステップＳ２０２，端末用音声情報格納工程，端末用音声情報格納処理）。端末用音声情報を保存した各携帯電話では、各携帯電話が端末用音声情報を同時に再生開始できるようにするため、タイマー調整手段１７，２７により互いの時刻のずれが修正される（図３：ステップＳ１０４，ステップＳ２０３，タイマー調整工程）。携帯電話１が備えた再生指示手段１８から再生開始すべき時刻が、それぞれの携帯電話の音声再生手段１６，２６へ指示される（図３：ステップＳ１０５，再生制御工程，再生開始制御処理）。タイマー機能１Ａ，２Ａが指定された時刻を示すと、指示を受けた音声再生手段１６，２６によって、それぞれに割り振られた端末用音声情報がデータ記憶部１９ｂ，２９ｂから読み出されて再生が開始される（図３：ステップＳ１０６，ステップＳ２０４，音声情報出力工程，音声情報出力処理）。
【００５９】
ここでは、端末情報記憶部１３ｂ，２３ｂに個々の位置情報が記憶されていたが、この各位置情報は、操作部１２，２２を用いたリスナーＡ等の入力により新たな位置情報に更新することができる（位置情報書換処理）。
【００６０】
図４は、図１に示す実施形態における立体音響出力システム全体の動作のうち、各携帯電話のタイマー機能１Ａ，２Ａが示している時刻が予め同期できていることを保証する場合の動作を示すシーケンス図である。
【００６１】
ここで、前述したように、各携帯電話では、端末情報記憶部１３ｂ，２３ｂに個々の端末情報が予め記憶されている。そして、携帯電話１では、データ記憶部１９ｂに音声コンテンツが記憶されている。
【００６２】
まず、ユーザが操作部１２を操作して再生開始の信号を入力すると、その再生開始の信号が送受信部１１を介して携帯電話２，３，４へ送信される。再生開始の信号を受信した携帯電話２，３，４では、各端末情報が携帯電話１へ送信される。送信された各端末情報は、携帯電話１の送受信部１１に受信されて端末情報登録手段１４に登録される（図４：ステップＳ２１１）。携帯電話１では、各端末情報を基に携帯電話１，２，３，４で再生すべき端末用音声情報が音声データ解析部１５により音声コンテンツから作成される（図４：ステップＳ１１１）。
【００６３】
作成された端末用音声情報のうち携帯電話２，３，４で再生すべき端末用音声情報が、送受信部１１を介して携帯電話２，３，４へ送信される（図４：ステップＳ１１２）。各携帯電話では、それぞれで再生すべき端末用音声情報が入力されデータ記憶部１９ｂ，２９ｂに保存される（図４：ステップＳ１１３，ステップＳ２１２）。携帯電話１の再生指示手段１８から再生開始すべき時刻が、それぞれの携帯電話の音声再生手段１６，２６へ指示される（図４：ステップＳ１１４）。タイマー機能１Ａ，２Ａが指定された時刻を示すと、指示を受けた音声再生手段１６，２６によって、それぞれに割り振られた端末用音声情報がデータ記憶部１９ｂ，２９ｂから読み出されて再生が開始される（図４：ステップＳ１１５，ステップＳ２１３）。
【００６４】
このように、本実施形態は、各携帯電話のタイマー機能１Ａ，２Ａが示している時刻が予め同期できていることを保証すると、タイマー調整手段１７，２７による互いの時刻のずれの修正を必要としない。
【００６５】
図５は、図１に示す実施形態全体の動作のうち、携帯電話１，２，３，４同士の距離が十分に短距離であり、動作指示に係る時間を無視できるとする場合の動作を示すシーケンス図である。
【００６６】
ここで、前述したように、各携帯電話では、端末情報記憶部１３ｂ，２３ｂに個々の端末情報が予め記憶されている。そして、携帯電話１では、データ記憶部１９ｂに音声コンテンツが記憶されている。
【００６７】
まず、ユーザが操作部１２を操作して再生開始の信号を入力すると、その再生開始の信号が送受信部１１を介して携帯電話２，３，４へ送信される。再生開始の信号を受信した携帯電話２，３，４から各端末情報が携帯電話１へ送信される。送信された各端末情報は、携帯電話１の送受信部１１に受信されて携帯電話１の端末情報登録手段１４に登録される（図５：ステップＳ２２１）。携帯電話１では、各端末情報を基に、それぞれの携帯電話で再生すべき端末用音声情報が音声データ解析部１５により音声コンテンツから作成される（図５：ステップＳ１２１）。
【００６８】
作成された端末用音声情報のうち携帯電話２，３，４で再生すべき端末用音声情報が、送受信部１１を介して携帯電話２，３，４へ送信される（図５：ステップＳ１２２）。各携帯電話では、それぞれで再生すべき端末用音声情報がデータ記憶部１９ｂ，２９ｂに保存される（図５：ステップＳ１２３，ステップＳ２２２）。携帯電話１の再生指示手段１８から“すぐに再生開始”という指示が、それぞれの携帯電話の音声再生手段１６，２６へ送信される（図５：ステップＳ１２４，再生制御工程，再生開始制御処理）。指示を受けた音声再生手段１６，２６によって、それぞれに割り振られた端末用音声情報がデータ記憶部１９ｂ，２９ｂから読み出され同期して再生される（図５：ステップＳ１２５，ステップＳ２２３）。
【００６９】
このように、本実施形態は、携帯電話１，２，３，４同士の距離が十分に短距離であると、動作指示に係る時間を無視でき、再生指示手段１８から
“すぐに再生開始”という指示を送信することになる。よって、タイマー機能１Ａ，２Ａに基づいた再生開始時刻の指定を必要としない。
【００７０】
上述した本実施形態は、以下の効果を有している。
（１）携帯電話を複数用意するだけで、手軽にステレオやサラウンド等の立体音響再生が可能となる。
（２）携帯電話の数を限定しないことと、携帯電話の位置情報を登録し書き換えすることで、いろいろな再生チャンネル数をもつ音声情報に対応できる。
（３）通信機能や音楽再生機能，スピーカは、通常の携帯電話に実装されているため、端末用音声情報生成手段や再生指示手段などを追加することで立体音響再生が実現できる。また、それらは、ソフトウェアで対応可能である。つまり、既存の携帯電話が持つアプリケーションの追加機能（ＪＡＶＡ（登録商標）アプリケーション等）を用いることで立体音響再生が実現でき、新たなハードウェアを持つ携帯電話を必要としない。
【００７１】
（他の実施形態）
次に、本発明の他の実施形態について説明する。
【００７２】
図６は、本発明に係る他の実施形態の全体の配置を示す図である。
【００７３】
他の実施形態における電子機器端末としての携帯電話５，６，７，８は、図６に示す通り、リスナー（音声情報の聞き手）Ｂの右前方，左前方，右後方，左後方に配置されている。このとき、携帯電話５，６，７，８は、リスナーＢを中心とした円周上にあって、右前方，左前方の携帯電話５，６を結ぶ直線と右後方，左後方の携帯電話７，８を結ぶ直線が平行になるように配置されるとよい。リスナーＢが任意の音声データを再生する際に、音声データにおける「右前方位置」，「左前方位置」，「右後方位置」，「左後方位置」の再生チャンネルそれぞれを、携帯電話５，６，７，８に鳴動させることで４チャンネルの立体音響再生を実現することができる。
【００７４】
図７は、図６に示す他の実施形態における携帯電話の構成を示すブロック図である。
【００７５】
この他の実施形態は、リスナーＢが鑑賞するための音声コンテンツを携帯電話５，６，７，８それぞれが保持し、その音声コンテンツから個々に音楽データを作成し同期して再生するものである。そして、この携帯電話５，６，７，８は互いに同じ内部構成を有するため、以下、携帯電話５，６について、その具体的構成を記述することとする。
【００７６】
まず、一般的な携帯電話が実装しているのと同様に、携帯電話５，６には、スピーカ５０，６０と送受信部５１，６１と操作部５２，６２とタイマー機能５Ａ，６Ａとデータ入力手段５９ａ，６９ａ及びデータ記憶部５９ｂ，６９ｂとが備えられている。そして、これらに加えて、携帯電話５，６には、端末情報入力手段５３ａ，６３ａ及び端末情報記憶部５３ｂ，６３ｂと音声データ解析部５５，６５と音声再生手段５６，６６とタイマー調整手段５７，６７と再生指示手段５８，６８とが備えられている。
【００７７】
スピーカ５０，６０は、音声を出力するスピーカであり、送受信部５１，６１は、携帯電話網を利用して互いに通信し合う通信手段として機能し、携帯電話５，６，７，８間における情報の送受信を可能としている。ここで、本実施形態では、携帯電話５，６，７，８が室内で使用されるため、この送受信部５１，６１として無線ＬＡＮやＢｌｕｅＴｏｏｔｈ等の近距離向けの通信技術を利用してもよい。そして、操作部５２，６２は、テンキーなどのユーザが操作する各種キーである。タイマー機能５Ａ，６Ａは、時間を刻む時計機能である。そして、データ入力手段１９ａ，２９ａは、各種の音声データを入力する。例えば、他の携帯電話から送信された音声データの受信、ネットワーク上の配信サーバからのダウンロード、ストリーミング配信やラジオ放送などの受信、記憶媒体からの読み出し等による音声データの入力がある。データ記憶部５９ｂ，６９ｂは、データ入力手段５９ａ，６９ａで取得した音声データを必要に応じて記憶するメモリである。
【００７８】
また、前述した端末情報入力手段５３ａ，６３ａは、携帯電話それぞれの位置情報や再生可能な音楽データのフォーマット情報、スピーカ性能等の端末情報を操作部５２，６２からのリスナーＡ等による入力に従って受け付ける。そして、端末情報記憶部５３ｂ，６３ｂは、端末情報入力手段５３ａ，６３ａで受け付けた端末情報を記憶する。音声データ解析部５５，６５は、端末情報記憶部５３ｂ，６３ｂに記憶されている端末情報を用いて、音声コンテンツを実現するためには携帯電話５，６，７，８でどのチャンネルの音声データを再生すべきかを決定し、これら再生すべき音声データ（以下端末用音声情報）を音声コンテンツから生成する。これら再生すべき端末用音声情報を音声コンテンツから生成する。音声再生手段５６，６６は、音声データを再生しスピーカから出力する。タイマー調整手段５７，６７は、携帯電話５，６それぞれのタイマー機能５Ａ，６Ａをどちらか一方の時刻に基づいて同期するためのものである。
【００７９】
前述した再生指示手段５８，６８は、操作部５２又は６２を用いたリスナーＢ等による入力や時刻を指定した自動制御等による音声再生開始を示す信号を受けて、音声データ解析部５５，６５へ端末用音声情報の生成を指示する機能と、音声再生手段５６，６６へそれぞれの端末用音声情報の再生を指示する機能とを備えている。
【００８０】
ここで、データ入力手段５９ａ，６９ａは、本発明に係る音響出力システムの構成を成す各電子機器端末それぞれに装備された音声コンテンツ入力手段として機能し、データ記憶部５９ｂ，６９ｂは、前述の各電子機器端末それぞれに装備された音声コンテンツ記憶部及び端末用音声情報格納部として機能する。音声データ解析部６５，６５は、本発明に係る構成を成す各電子機器端末それぞれに装備された端末用音声情報生成手段として機能する。
【００８１】
また、端末情報記憶部５３ｂ，６３ｂは、本発明に係る構成を成す位置情報記憶部として機能し、音声再生手段５６，６６は、本発明に係る構成を成す音声情報出力手段として機能する。
【００８２】
ここで、前述の端末情報入力手段５３ａ，６３ａが新たに端末情報を受け付けた場合には、端末情報記憶部５３ｂ，６３ｂに記憶されている端末情報は消去され、端末情報入力手段５３ａ，６３ａが受け付けた新たな端末情報に更新される。このときの端末情報を更新する機能が、本発明に係る構成を成す位置情報書換手段として機能する。
【００８３】
図８は、図６に示す他の実施形態における全体の動作を示すシーケンス図である。
【００８４】
ここで、この他の実施形態では、各携帯電話の端末情報記憶部５３ｂ，６３ｂに個々の端末情報が予め記憶されており、各携帯電話のデータ記憶部５９ｂ，６９ｂには音声コンテンツが予め記憶されている。
【００８５】
まず、ユーザが操作部５２を操作して再生開始の信号を入力すると、その再生開始の信号が送受信部１１を介して携帯電話６，７，８へ送信される。再生開始の信号を受けた携帯電話５，６，７，８では、個々の位置情報を基に各携帯電話ぞれぞれで再生すべき端末用音声情報が音声データ解析部５５，６５によりデータ記憶部５９ｂ，６９ｂに記憶された音声コンテンツから作成される（図８：ステップＳ５０１，ステップＳ６０１，端末用音声情報生成処理）。端末用音声情報を作成した各携帯電話では、それぞれの端末用音声情報がデータ記憶部５９ｂ，６９ｂに保存される（図８：ステップＳ５０２，ステップＳ６０２）。
【００８６】
端末用音声情報を保存した各携帯電話では、各携帯電話が端末用音声情報を同時に再生開始できるようにするため、タイマー調整手段５７，６７により互いの時刻のずれが修正される（図８：ステップＳ５０３，ステップＳ６０３）。携帯電話５の再生指示手段５８から再生開始すべき時刻が、それぞれの携帯電話の音声再生手段５６，６６へ指示される（図８：ステップＳ５０４）。タイマー機能５Ａ，６Ａが指定された時刻を示すと、指示を受けた音声再生手段５６，６６によって、それぞれが生成し格納した端末用音声情報がデータ記憶部５９ｂ，６９ｂから読み出されて再生が開始される（図８：ステップＳ５０５，ステップＳ６０４）。
【００８７】
このように、上述した他の実施形態は、前述した一実施形態の場合と同様の効果を有する。
【００８８】
また、このような他の実施形態では、前述した一実施形態とは異なり、１つの電子機器端末による各端末情報の登録や各端末用音声情報の送信を必要としないので、ユーザによる操作部５２を用いた再生開始信号の入力から各電子機器端末による端末用音声情報の再生開始までを迅速に行うことができる。更には、電子機器端末の性能以外から影響を受ける各端末用音声情報の送受信を行わないので、より確実に立体音響再生を実現できる。
【００８９】
ここで、上述した各実施形態では、４台の携帯電話を使用しているが、本発明を実施するためには、スピーカ、通信機能、情報処理機能が実装されている電子機器を使用すればよいので、携帯電話に限らず、ＰＤＡやパーソナルコンピュータなどを使用してもよい。
【図面の簡単な説明】
【００９０】
【図１】本発明に係る一実施形態における各携帯電話の配置位置を示す図である。
【図２】図１に示す一実施形態における各携帯電話の構成を示すブロック図である。
【図３】図１に示す一実施形態における立体音響出力システム全体の動作を示すシーケンス図である。
【図４】図１に示す一実施形態における立体音響出力システム全体の動作を示すシーケンス図である。
【図５】図１に示す一実施形態における立体音響出力システム全体の動作を示すシーケンス図である。
【図６】本発明に係る他の実施形態における各携帯電話の配置位置を示す図である。
【図７】図６に示す他の実施形態における各携帯電話の構成を示すブロック図である。
【図８】図６に示す他の実施形態における立体音響出力システム全体の動作を示すシーケンス図である。
【符号の説明】
【００９１】
Ａ，Ｂ  リスナー
１，２，３，４，５，６，７，８  携帯電話（電子機器端末）
１０，２０，５０，６０  スピーカ
１１  送受信部（通信手段，端末用音声情報送出手段）
２１，５１，６１  送受信部（通信手段）
１２，２２，５２，６２  操作部
１３ａ，２３ａ，５３ａ，６３ａ  端末情報入力手段
１３ｂ，２３ｂ，５３ｂ，６３ｂ  端末情報記憶部（位置情報記憶部）
１４  端末情報登録手段（位置情報登録手段）
１５，５５，６５  音声データ解析部（端末用音声情報生成手段）
１６，２６，５６，６６  音声再生手段（音声情報出力手段）
１７，２７，５７，６７  タイマー調整手段
１８，５８，６８  再生指示手段
１９ａ，２９ａ，５９ａ，６９ａ  データ入力手段（音声情報入力手段，音声コンテンツ入力手段）
１９ｂ，２９ｂ，５９ｂ，６９ｂ  データ記憶部（音声コンテンツ記憶部，端末用音声情報格納部）
１Ａ，２Ａ，５Ａ，６Ａ  タイマー機能
【図１】
2007124380.tif 000003
【図２】
2007124380.tif 000004
【図３】
2007124380.tif 000005
【図４】
2007124380.tif 000006
【図５】
2007124380.tif 000007
【図６】
2007124380.tif 000008
【図７】
2007124380.tif 000009
【図８】
2007124380.tif 000010